(57)【要約】【課題】人が感じる明るさを制御すること。【解決手段】照明制御システムは、１つの実施形態において、複数の照明器具５と、中央制御装置とを有する。中央制御装置は、１つの実施形態において、複数の照明器具により照射される照射面の照度である第１の照度と、複数の照明器具の光源により照射される照明空間内の任意の測定点における照度であって照明器具により照射された光の反射光による第２の照度とに基づいて、複数の照明器具の点灯状態を制御する。【選択図】図４
2014017152.tif 000002
【特許請求の範囲】
【請求項１】
複数の照明器具と；
前記複数の照明器具により照射される照射面の照度である第１の照度と、前記複数の照明器具の光源により照射される照明空間内の任意の測定点における照度であって前記照明器具により照射された光の反射光による第２の照度とに基づいて、前記複数の照明器具の点灯状態を制御する制御処理部を有する中央制御装置と；
を具備することを特徴とする照明制御システム。
【請求項２】
前記中央制御装置は、
前記第１の照度についての第１の基準値を記憶する記憶部を更に具備し、
前記制御処理部は、前記第１の照度が前記第１の基準値になるように第１の照明器具の点灯状態を制御し、前記第１の照度に基づいて決定される第２の基準値に基づいて、前記複数の照明器具のうち第２の照明器具の点灯状態を制御することを特徴とする請求項１に記載の照明制御システム。
【請求項３】
前記複数の照明器具のうち第１の照明器具は、机上又は床面を照射し、
前記複数の照明器具のうち第２の照明器具は、天井面又は壁面を照射し、
前記制御処理部は、前記机上又は床面の照度である前記第１の照度と、前記壁面の照度である前記第２の照度とに基づいて、前記第１の照明器具と前記第２の照明器具との点灯状態を制御することを特徴とする請求項１に記載の照明制御システム。
【請求項４】
前記照明制御システムは、
前記第１の照度と前記第２の照度とを測定するための画像センサを更に具備し、
前記制御処理部は、前記画像センサにより撮影された画像のうち、前記照射面に相当する部分画像の画素値に基づいて算出される照度を前記第１の照度とし、前記照射面及び前記複数の照明器具の直接光に相当する部分を除いた部分画像の画素値に基づいて算出される照度を前記第２の照度として、前記複数の照明器具の点灯状態を制御することを特徴とする請求項１に記載の照明制御システム。
【請求項５】
前記中央制御装置は、
前記複数の照明器具の光源による直接光と反射光とに基づく前記測定点における照度から、前記複数の照明器具の光源による直接光に起因する前記測定点における照度を減算することで、前記第２の照度を算出する第２の照度算出部を更に具備し、
前記制御処理部は、前記第１の照度と、前記第２の照度算出部により算出された前記第２の照度とに基づいて、前記複数の照明器具の点灯状態を制御することを特徴とする請求項１に記載の照明制御システム。
【発明の詳細な説明】
【技術分野】
【０００１】
本発明の実施形態は、照明制御システムに関する。
【背景技術】
【０００２】
従来、照度センサを用いて、机の上や床の照度を一定に制御する照明制御システムがある。例えば、照明制御システムでは、特定の照明器具と対向する位置に照度センサを配置し、照度センサにより検出された明暗度に基づいて、特定の照明器具の点灯状態を制御する。より詳細な一例をあげて説明すると、照明制御システムでは、机上を照らす照明器具について、机上の照度が基準値となるように制御する。
【先行技術文献】
【特許文献】
【０００３】
【特許文献１】特開2003-100470号公報
【発明の概要】
【発明が解決しようとする課題】
【０００４】
しかしながら、上述した技術では、人が感じる明るさが適切な状態とならないという問題がある。
【０００５】
本発明が解決しようとする課題は、上述の従来技術の問題に鑑み、人が感じる明るさを制御可能となる照明制御システム及び中央制御装置を提供することを目的とする。
【課題を解決するための手段】
【０００６】
実施形態の一例に係る照明制御システムは、複数の照明器具と；前記複数の照明器具により照射される照射面の照度である第１の照度と、前記複数の照明器具の光源により照射される照明空間内の任意の測定点における照度であって前記照明器具により照射された光の反射光による第２の照度とに基づいて、前記複数の照明器具の点灯状態を制御する制御処理部を有する中央制御装置とを具備する。
【発明の効果】
【０００７】
実施形態の一例に係る照明制御システムは、人が感じる明るさを制御することが期待できる。
【図面の簡単な説明】
【０００８】
【図１】図１は、第１の実施形態に係る照明制御システムの全体構成の一例を示すブロック図である。
【図２】図２は、第１の実施形態における第１の照明器具と第２の照明器具との一例を示す図である。
【図３】図３は、第１の実施形態における光センサの一例を示す図である。
【図４】図４は、第１の実施形態に係る中央制御装置の構成の一例を示すブロック図である。
【図５】図５は、第１の実施形態における第２の照度を検出するための画像情報の一例を示す図である。
【図６】図６は、第１の実施形態に係る中央制御装置による制御処理の流れの一例を示すフローチャートである。
【図７】図７は、第２の照度算出手法の一例について説明する図である。
【図８】図８は、フィードバック回路の一例を示す図である。
【発明を実施するための形態】
【０００９】
以下に説明する実施形態に係る照明制御システムは、１つの実施形態において、複数の照明器具と、中央制御装置とを有する。中央制御装置は、複数の照明器具により照射される照射面の照度である第１の照度と、複数の照明器具の光源により照射される照明空間内の任意の測定点における照度であって照明器具により照射された光の反射光による第２の照度とに基づいて、複数の照明器具の点灯状態を制御する制御処理部を有する。
【００１０】
また、実施形態に係る照明制御システムは、１つの実施形態において、複数の照明器具のうち第１の照明器具は、机上又は床面を照射し、複数の照明器具のうち第２の照明器具は、天井面又は壁面を照射する。また、制御処理部は、机上又は床面の照度である第１の照度と、壁面の照度である第２の照度とに基づいて、第１の照明器具と第２の照明器具との点灯状態を制御する。
【００１１】
また、実施形態に係る照明制御システムは、１つの実施形態において、中央制御装置が、第１の照度についての第１の基準値を記憶する記憶部を更に具備する。また、制御処理部は、第１の照度が第１の基準値になるように第１の照明器具の点灯状態を制御し、第１の照度に基づいて決定される第２の基準値に基づいて、複数の照明器具のうち第２の照明器具の点灯状態を制御する。
【００１２】
また、実施形態に係る照明制御システムは、１つの実施形態において、中央制御装置が、第２の照度についての第２の基準値を記憶する記憶部を更に具備する。また、制御処理部は、第２の照度が第２の基準値になるように複数の照明器具のうち第２の照明器具の点灯状態を制御し、第２の照度に基づいて決定される第１の基準値に基づいて第１の照明器具の点灯状態を制御する。
【００１３】
また、実施形態に係る照明制御システムは、１つの実施形態において、第１の照度を測定するための第１の光センサと、第２の照度を測定するための第２の光センサとを更に具備する。また、制御処理部は、第１の光センサから受け付けた第１の照度と、第２の光センサから受け付けた第２の照度とに基づいて、複数の照明器具の点灯状態を制御する。
【００１４】
また、実施形態に係る照明制御システムは、１つの実施形態において、第１の照度と第２の照度とを測定するための画像センサを更に具備する。また、制御処理部は、画像センサにより撮影された画像のうち、照射面に相当する部分画像の画素値に基づいて算出される照度を第１の照度とし、照射面及び複数の照明器具の直接光に相当する部分を除いた部分画像の画素値に基づいて算出される照度を第２の照度として、複数の照明器具の点灯状態を制御する。
【００１５】
また、実施形態に係る照明制御システムは、１つの実施形態において、中央制御装置は、複数の照明器具の光源による直接光と反射光とに基づく測定点における照度から、複数の照明器具の光源による直接光に起因する測定点における照度を減算することで、第２の照度を算出する第２の照度算出部を更に具備する。また、制御処理部は、第１の照度と、第２の照度算出部により算出された第２の照度とに基づいて、複数の照明器具の点灯状態を制御する。
【００１６】
以下、図面を参照して、実施形態に係る照明制御システムについて説明する。実施形態において同一の機能を有する構成には同一の符号を付し、重複する説明は省略する。なお、以下の実施形態で説明する照明制御システムは、一例を示すに過ぎず、本発明を限定するものではない。また、以下の実施形態は、矛盾しない範囲内で適宜組みあわせても良い。
【００１７】
（第１の実施形態に係る照明制御システムの全体構成の一例）
図１は、第１の実施形態に係る照明制御システムの全体構成の一例を示すブロック図である。図１に示す例では、照明制御システム１０は、中央制御装置１００と、２線伝送線（「伝送ライン」とも称する）２と、壁スイッチ３と、ｈ個の制御端末器４と、照明器具５と、光センサ６と、ワイヤレス送信器７と、ワイヤレス受信器８と、人感センサ９とを有する。照明制御システム１０の各装置は、伝送ライン２を介して相互に接続される。なお、図１に示す例では、制御端末器４がｈ個ある場合を例に説明するが、これに限定されるものではなく、任意の数あって良い。
【００１８】
中央制御装置１００は、オフィスや各種施設などの照明エリアごとに設置される照明器具５を遠隔制御する。また、中央制御装置１００は、複数の照明器具５の点灯状態を制御する。中央制御装置１００の詳細については、後述するため説明を省略する。
【００１９】
壁スイッチ３は、照明器具に対する操作をユーザから受け付け、受け付けた操作内容を中央制御装置１００に伝送ライン２を介して出力する。例えば、壁スイッチ３は、照明器具を消灯する操作や点灯する操作、明るさを変更する操作などを受け付け、受け付けた操作を中央制御装置１００に出力する。
【００２０】
制御端末器４は、照明器具５と接続される。図１に示す例では、制御端末器４−１〜制御端末器４−ｈが、それぞれ、４回路の照明器具５と接続可能な場合を例に示した。ただし、これに限定されるものでなく、任意の数の照明器具５を接続可能であって良い。
【００２１】
複数の照明器具５は、例えば、光源として発光ダイオード（ＬＥＤ、Light  Emitting  Diodes）を有する。以下では、複数の照明器具５には、机上又は床面を照射する第１の照明器具と、天井面又は壁面を照射する第２の照明器具とがある場合を用いて説明する。
【００２２】
図２は、第１の実施形態における第１の照明器具と第２の照明器具との一例を示す図である。図２に示す例では、利用者の手元や机の上、床面を天井から照射する照明器具２０が第１の照明器具に該当し、部屋の壁面を天井から照射する照明器具２１〜２７が第２の照明器具に該当する。なお、以下では、第２の照明器具が、天井面又は壁面を照射する場合を例に説明するが、これに限定されるものではない。第２の照明器具は、例えば、第１の照明器具による照射面とは異なる部分を照射する任意の照明器具であって良い。
【００２３】
なお、図２に示す例では、第１の照明器具が１つあり、第２の照明器具が７つある場合を例に示したが、これに限定されるものではなく、任意の数であって良い。また、図２に示す例では、第１の照明器具と第２の照明器具とが、天井に設けられる場合を例に示したが、これに限定されるものではなく、壁面に設けられても良く、任意の場所に設けられて良い。
【００２４】
光センサ６は、明暗度を検出する。光センサ６には、第１の照明器具の光源により照射される照射面の照度である第１の照度を検出するための第１の光センサと、複数の照明器具の光源により照射される照明空間内の任意の測定点における照度であって照明器具により照射された光の反射光による第２の照度を検出するための第２の光センサとがある。なお、第１の照度を床や机に入射する単位面積当たりの光束を表す「水平面照度」と定義し、「机上面照度」あるいは「床面照度」等と称してもよい。また、第２の照度を目の位置に想定した鉛直面内の観測設定点における間接光による照度で定義してもよく、この場合には「間接眼前照度」あるいは「Ｗｅｌｕｎａ値」等と称してもよい。例えば、第２の照度は、ユーザの眼に届く光のうち、壁や床面、天井面などで反射して届く間接光に基づく照度を示すものであってもよい。また、第２の照度は壁、床面、天井面等で区画される所定空間の反射面からの反射光による任意の測定点における照度と定義してもよい。この場合には、空間全体からの間接光の寄与が反映されるように入り口付近あるいは壁面等の空間の境界付近を測定点とするのが好ましい。また、第１の実施形態では、説明の便宜上、任意の測定点が、第２の光センサが設けられた位置である場合を用いて説明する。
【００２５】
ここで、光センサ６によって検出された値そのものが第１の照度又は第２の照度となっても良く、光センサ６による検出結果に基づいて中央制御装置１００により算出される値が第１の照度又は第２の照度となっても良い。例えば、光センサ６が照度センサであって、第１の照明器具により照射される照射面に設置された場合、光センサ６により検出された照度が第１の照度となる。また、例えば、光センサ６が画像センサである場合、画像センサによる撮影された画像に基づいて中央制御装置１００によって算出される値が、第１の照度や第２の照度となる。なお、第２の照度の算出手法については、後述するため説明を省略する。
【００２６】
図３は、第１の実施形態における光センサの一例を示す図である。図３に示す例では、第１の照明器具による照射面３０に光センサ３１が設置され、壁面に光センサ３２が設置され、口角レンズや魚眼レンズ等で空間全体を撮像する場合を例に用いて説明する。また、光センサ３１は照度センサであり、光センサ３２はカメラ等の画像センサを用いる場合について説明する。この場合、第１の照度となる照射面３０の照度を検出する光センサ３１が第１の光センサに該当し、第２の照度を検出するための光センサ３２が第２の光センサとなる。言い換えると、図３に示す場合、光センサ３１は、第１の照度を検出し、光センサ３２は、第２の照度を算出するための画像情報を撮影する。
【００２７】
第２の照度を測定するための光センサ６の位置について補足する。第２の照度は、上述したように、測定点における壁や床面、天井面などで反射して届く間接光に基づく照度を示し、照明空間の明るさ感の指標となる。このことを踏まえ、光センサ６としての画像センサは、照明空間全体を撮像できるような画角のレンズを備え、設置されることが好ましい。
【００２８】
ワイヤレス送信器７は、照明器具５に対するユーザの操作を受け付け、受け付けた操作内容を無線通信でワイヤレス受信器８に送信する。例えば、ワイヤレス送信器７は、赤外線を用いて送信する。ワイヤレス受信器８は、ワイヤレス送信器７から送信されたユーザによる操作内容を受信し、受信した操作内容を伝送ライン２を介して中央制御装置１００に出力する。人感センサ９は、人の存在を検知する。人感センサ９は、例えば、画像センサである。
【００２９】
（第１の実施形態に係る中央制御装置の構成の一例）
図４は、第１の実施形態に係る中央制御装置の構成の一例を示すブロック図である。図４に示す例では、中央制御装置１００は、入出力インタフェース１０１と、記憶部１１０と、制御部１２０とを有する。以下に詳細に説明するように、中央制御装置１００は、画像ごとに監視部分を設定する。
【００３０】
入出力インタフェース１０１は、制御部１２０と接続される。入出力インタフェース１０１は、伝送ライン２を介して照明制御システム１０の各装置と情報の入出力を行う。
【００３１】
記憶部１１０は、制御部１２０と接続される。記憶部１１０は、制御部１２０による各種処理に用いるデータを記憶する。記憶部１１０は、例えば、ＲＡＭ（Random  Access  Memory）やＲＯＭ（Read  Only  Memory）、フラッシュメモリ（Flash  Memory）などの半導体メモリ素子、又は、ハードディスクや光ディスクなどである。図４に示す例では、記憶部１１０は、基準値テーブル１１１を有する。
【００３２】
基準値テーブル１１１は、複数の照明器具５により照射される照射面の照度である第１の照度についての第１の基準値を記憶する。例えば、基準値テーブル１１１は、第１の基準値として「Ｘルクス」を記憶する。なお、「Ｘルクス」の「Ｘ」は、任意の数字である。
【００３３】
制御部１２０は、入出力インタフェース１０１と記憶部１１０と接続される。制御部１２０は、各種の処理手順などを規定したプログラムを記憶する内部メモリを有し、種々の処理を制御する。制御部１２０は、例えば、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などである。図４に示す例では、制御部１２０は、受信部１２１と、第２の照度算出部１２２と、制御処理部１２３とを有する。
【００３４】
受信部１２１は、光センサ６による検出結果を受信する。例えば、受信部１２１は、第１の照度と、第２の照度を検出するための画像情報とを受信する。
【００３５】
第２の照度算出部１２２は、複数の照明器具５の光源による直接光と反射光とに基づく測定点における照度から、複数の照明器具５の光源による直接光に起因する測定点における照度を減算することで、第２の照度を算出する。例えば、第２の照度算出部１２２は、第２の照度を検出するための画像情報から、照明器具の直接光に相当する部分以外の部分を識別し、識別した部分の画素値に基づいて第２の照度を算出する。なお、第２の照度算出部１２２により用いられる画素値は、例えば、輝度値である。
【００３６】
図５は、第１の実施形態における第２の照度を検出するための画像情報の一例を示す図である。図５に示す例では、画像情報には、照明器具２０、照明器具２１〜２４も撮影されている場合を例に示した。なお、図５に示す例では、第１の照明器具による照射面は含まれない場合を例に示した。ここで、照明器具２０、照明器具２１〜２４が点灯している場合には、照明器具２０、照明器具２１〜２４に相当する部分の画像情報は、照明器具からの直接光となる。この場合、第２の照度算出部１２２は、照明器具２０〜２４に相当する部分以外の画像部分の画素値に基づいて、第２の照度を算出する。なお、照明器具２０〜２４に相当する部分以外の画像情報を識別する手法としては、任意の画像認識技術を用いて良い。例えば、予め照明器具に相当する位置を画像内において識別する位置情報を有する場合には、制御処理部１２３は、位置情報を用いて照明器具に相当する位置を識別し、識別した位置の画素値が所定値以上である場合には、照明器具が点灯していると判断して識別した位置を除外した上で第２の照度を算出する。
【００３７】
制御処理部１２３は、複数の照明器具５により照射される照射面の照度である第１の照度と、複数の照明器具の光源により照射される照明空間内の任意の測定点における照度であって照明器具により照射された光の反射光による第２の照度とに基づいて、複数の照明器具５の点灯状態を制御する。具体的には、制御処理部１２３は、第１の光センサから受け付けた第１の照度と、第２の照度算出部１２２により算出された第２の照度とに基づいて、複数の照明器具５の点灯状態を制御する。例えば、制御処理部１２３は、机上又は床面の照度である第１の照度と、壁面の照度である第２の照度とに基づいて、第１の照明器具と第２の照明器具との点灯状態を制御する。すなわち、制御処理部１２３は、フィードバック制御を行う。
【００３８】
より詳細な一例をあげて説明すると、制御処理部１２３は、基準値テーブル１１１から第１の基準値を読み出し、第１の照度が第１の基準値になるように第１の照明器具の点灯状態を制御する。また、制御処理部１２３は、第１の照度に基づいて決定される第２の基準値に基づいて、複数の照明器具のうち第２の照明器具の点灯状態を制御する。例えば、制御処理部１２３は、第１の照度を「１０」とした場合に、第２の照度が「１〜２」程度になるように第２の照明器具の点灯状態を制御する。
【００３９】
第１の照度を「１０」とした場合に第２の照度が「１」になるように制御する場合を用いて更に説明する。この場合、制御処理部１２３は、第２の基準値を「第１の照度／１０」とし、第２の照度が第２の基準値となるように点灯状態を制御する。
【００４０】
なお、点灯状態を制御する手法としては、任意の手法を用いて良い。例えば、制御処理部１２３は、制御端末器４を介して照明器具５に対して、照度を上げる旨の指示や照度を下げる旨の指示を出力することで、点灯状態を制御する。
【００４１】
ここで、第１の照度と第２の照度との関係について補足する。第１の照度を「５００ルクス」、第２の照度を「５０ルクス」〜「１００ルクス」で変動させた場合、第１の照度と第２の照度とが１０：１程度において、ユーザが明るさ感を実感可能となる下限値となる。このことを踏まえ、１０：１よりも、第１の照度に対する第２の照度の割合が高いことが好ましい。
【００４２】
（第１の実施形態に係る中央制御装置による制御処理の一例）
図６は、第１の実施形態に係る中央制御装置による制御処理の流れの一例を示すフローチャートである。
【００４３】
図６に示すように、中央制御装置１００では、受信部１２１が光センサ６による検出結果を受信すると（ステップＳ１０１肯定）、第２の照度算出部１２２が、第２の照度を算出する（ステップＳ１０２）。例えば、第２の照度算出部１２２は、複数の照明器具５の光源による直接光と反射光とに基づく測定点における照度から、複数の照明器具５の光源による直接光に起因する測定点における照度を減算することで、第２の照度を算出する。
【００４４】
そして、制御処理部１２３は、照明器具５の点灯状態を制御する（ステップＳ１０３）。例えば、制御処理部１２３は、基準値テーブル１１１から第１の基準値を読み出し、第１の照度が第１の基準値になるように第１の照明器具の点灯状態をフィードバック制御する。また、制御処理部１２３は、第１の照度に基づいて決定される第２の基準値に基づいて、複数の照明器具のうち第２の照明器具の点灯状態をフィードバック制御する。例えば、制御処理部１２３は、第１の照度を「１０」とした場合に、第２の照度が「１〜２」程度になるように第２の照明器具の点灯状態を制御する。なお、第１の照度と第２の照度との関係は、目的に応じて任意の値に設定しても良い。
【００４５】
（第１の実施形態に係る照明制御システムによる効果）
上述したように、第１の実施形態における照明制御システム１０は、複数の照明器具５と、中央制御装置１００とを有する。中央制御装置１００は、複数の照明器具５のうち第１の照明器具５の光源により照射される照射面の照度である第１の照度と、複数の照明器具５の光源により照射される照明空間内の任意の測定点における照度であって照明器具により照射された光の反射光による第２の照度とに基づいて、複数の照明器具５の点灯状態を制御する。この結果、人が感じる明るさを制御可能となる。
【００４６】
すなわち、特定の照明器具と対向する位置に照度センサを配置し、照度センサにより検出された明暗度に基づいて、特定の照明器具の点灯状態を制御する制御手法と比較して、人が感じる明るさ感を制御可能となる。例えば、机上面照度を制御しても、壁等の周囲の明るさが暗いと、人は暗いと感じる。このことを踏まえ、第１の照度と第２の照度とに基づいて、照明器具の点灯状態を制御することで、空間全体の照明制御が可能になる。例えば、机上面照度に加えて、壁面を照射する照明器具の調光比を変化させることで、空間全体の照明制御が可能になる。
【００４７】
また、実施形態に係る照明制御システム１０は、１つの実施形態において、複数の照明器具５のうち第１の照明器具５は、机上又は床面を照射し、複数の照明器具５のうち第２の照明器具５は、主に壁面を照射する。また、制御処理部１２３は、机上又は床面の照度である第１の照度と、測定点における間接光による第２の照度とに基づいて、第１の照明器具５と第２の照明器具５との点灯状態を制御する。この結果、空間全体に照射される光量が同じであっても人が感じる明るさを向上させることができる。つまり、人が感じる明るさを効率的に制御可能となる。
【００４８】
また、実施形態に係る照明制御システム１０は、１つの実施形態において、中央制御装置１００が、第１の照度についての第１の基準値を記憶する記憶部を更に具備する。また、制御処理部は、第１の照度が第１の基準値になるように第１の照明器具５の点灯状態を制御し、第１の照度に基づいて決定される第２の基準値に基づいて、複数の照明器具５のうち第２の照明器具５の点灯状態を制御する。この結果、人が感じる明るさを制御可能となる。
【００４９】
また、実施形態に係る照明制御システム１０は、１つの実施形態において、第１の照度を測定するための第１の光センサと、第２の照度を測定するための第２の光センサとを更に具備する。また、制御処理部は、第１の光センサから受け付けた第１の照度と、第２の光センサから受け付けた第２の照度とに基づいて、複数の照明器具５の点灯状態を制御する。この結果、人が感じる明るさを制御可能となる。
【００５０】
また、実施形態に係る照明制御システム１０は、１つの実施形態において、中央制御装置１００は、複数の照明器具５の光源による直接光と反射光とに基づく測定点における照度から、複数の照明器具５の光源による直接光に起因する測定点における照度を減算することで、第２の照度を算出する第２の照度算出部を更に具備する。また、制御処理部は、第１の照度と、第２の照度算出部により算出された第２の照度とに基づいて、複数の照明器具５の点灯状態を制御する。この結果、人が感じる明るさを制御可能となる。
【００５１】
（第２の実施形態）
さて、これまで第１の実施形態について説明したが、これに限定されるものではなく、その他の実施形態にて実施されても良い。そこで、以下では、その他の実施例について説明する。
【００５２】
（第２の照度の算出）
上述した実施形態では、中央制御装置１００が第２の照度を算出する場合を例に説明したが、これに限定されるものではない。例えば、第２の光センサ６が画像センサである場合に、撮影された画像から第２の照度を算出する機能を画像センサ自体に搭載し、画像センサから第２の照度が中央制御装置１００に出力されるようにしても良い。この場合、中央制御装置１００の制御部１２０は、第２の照度算出部１２２が不要となり、制御部１２０による処理負荷を軽減可能となる。
【００５３】
（光センサ）
また、例えば、上述の実施形態では、第１の光センサと第２の光センサとが別装置である場合を例に説明したが、これに限定されるものではない。例えば、画像センサを光センサとして設置し、画像センサによる撮影画像に第１の照明器具による照射面と、床面や天井面とが含まれるようにすることで、１つの光センサを用いて、第１の照度と第２の照度とを算出しても良い。
【００５４】
この場合、中央制御装置１００の制御部１２０は、画像センサにより撮影された画像のうち、照射面に相当する部分画像の画素値に基づいて算出される照度を第１の照度として用いる。また、制御部１２０は、照射面及び複数の照明器具の直接光に相当する部分を除いた部分画像の画素値に基づいて算出される照度を第２の照度として用いる。
【００５５】
（第２の照度算出手法）
また、例えば、上述した実施形態では、光センサ６により得られた画像情報に基づいて第２の照度を算出する場合を例に説明したが、これに限定されるものではない。例えば、制御部１２０は、複数の照明器具５による照明空間に所定の面を設定した上で、設定した所定の面上に観測設定点を設定し、照明空間内の光を反射する反射物に関する情報及び照明空間内に設けられた照明器具５に関する情報に基づいて、反射物による間接光のみに基づく観測設定点における照度を算出して第２の照度としても良い。
【００５６】
なお、照明空間内の光を反射する反射物に関する情報とは、例えば、空間を構成する天井、壁、床及び空間内に配置される設置物等の光を反射する物体の反射面の位置、サイズ及び反射率等などである。また、照明器具５に関する情報とは、例えば、照明器具５の台数及び位置、照明器具５の配光特性のデータなどである。
【００５７】
図７は、第２の照度算出手法の一例について説明する図である。図７に示す例では、照明空間４１は、天井４２、壁４３及び床４４によって囲まれている。天井４２には、照明器具４５が配設される。床４４上には、ユーザ４６が立っているものとする。また、ここで、ユーザ４６の眼４７の直前に鉛直面４８が設定され、鉛直面４８は、ユーザ４６の眼４７の視線方向に垂直に配置されるものとする。図７に示す例では、鉛直面４８には、照明器具４５からの直接光４９（破線）や壁４３による間接光５０、床４４による間接光５１等が入射する。
【００５８】
図７に示す例では、制御部１２０は、予め、天井４２や壁４３、床４４などについての情報が設定され、照明器具４５についての情報が設定され、鉛直面４８が設定される。その上で、制御部１２０は、例えば、鉛直面４８の観測設定点に入射する光の照度を算出し、鉛直面４８に入射する直接光４９の照度を算出し、鉛直面４８に入射する光の照度から直接光４９の照度を減算することで、第２の照度を算出する。
【００５９】
（基準値）
また、例えば、上述した実施形態では、基準値テーブル１１１が第１の基準値を記憶し、制御処理部１２３が、第１の照度が第１の基準値になるように第１の照明器具の点灯状態を制御し、第１の照度に基づいて決定される第２の基準値に基づいて、第２の照明器具の点灯状態を制御する場合を例に説明したが、これに限定されるものではない。例えば、基準値テーブル１１１は、第２の照度についての第２の基準値を記憶しても良い。この場合、制御処理部は、第２の照度が第２の基準値になるように第２の照明器具の点灯状態を制御し、第２の照度に基づいて決定される第１の基準値に基づいて第１の照明器具の点灯状態を制御する。
【００６０】
（制御主体）
また、例えば、上述した実施形態では、中央制御装置の制御部１２０が、フィードバック処理を行う場合を用いて説明したが、これに限定されるものではなく、フィードバック回路を照明制御システムの任意の位置に搭載することで、複数の照明器具５の点灯状態を制御しても良い。
【００６１】
図８は、フィードバック回路の一例を示す図である。図８に示す例では、第１の照度が第１の基準値になるように第１の照明器具の点灯状態を制御し、第１の照度に基づいて決定される第２の基準値に基づいて、第２の照明器具の点灯状態を制御する場合を例に説明するが、上述したように、これに限定されるものではない。
【００６２】
図８に示す例では、照明制御システムは、第１の光センサに相当する第１の照度センサ６１と、第２の光センサに相当する間接光による照度のみを測定できる第２の照度センサ６２、第１の照明器具に相当する中央部器具６３、第２の照明器具に相当する壁際器具６４、比較器６５及び６６を有する。図８に示す例では、第１の照度センサ６１及び第２の照度センサ６２は、それぞれ、第１の照度又は第２の照度に応じた電圧を出力する。また、比較器６５は、２つある入力のうち一方の入力に対して、第１の基準値に相当する基準電圧６７が入力され、他方の入力に対して、第１の照度センサ６１による第１の照度に対応する電圧が入力される。また、比較器６６は、２つある入力のうち一方の入力に対して、第１の照度センサ６１による第１の照度が抵抗６８によって１／１０にされた上で第２の基準値として入力される。なお、上述した説明では、第１の照度センサ６１による第１の照度が抵抗６８によって１／１０にされた上で入力される場合を用いて説明したが、これに限定されるものではない。度センサ６１による第１の照度が抵抗６８によって１／１０にされる場合とは、第１の照度と第２の照度とを１０：１に制御する場合である。
【００６３】
ここで、図８に示す例では、第１の照度センサ６１及び第２の照度センサ６２は、照度に応じた電圧を出力し、比較器６５及び比較器６６が、第１の基準値および第２の基準値とのそれぞれの電圧の差分を検出し、差分電圧を中央部器具６３と壁際器具６４とにそれぞれ出力し、中央部器具６３と壁際器具６４とが、それぞれ、受信した差分電圧をなくす方向に点灯状態を変える。言い換えると、比較器６５や比較器６６が、差分電圧を出力することで、照明器具の点灯状態を制御する。
【００６４】
（点灯状態の制御）
また、例えば、第２の照明器具が複数ある場合に、照明器具の点灯状態を個別に調整することで、第２の照度が第２の基準値になるように制御しても良い。
【００６５】
（その他）
例えば、第１の実施形態において説明した各処理のうち、自動的に行われるものとして説明した処理の全部又は一部を手動的に行うこともでき、あるいは、手動的に行われるものとして説明した処理の全部又は一部を公知の方法で自動的に行っても良い。この他、上述文書中や図面中で示した処理手順、制御手順、具体的名称、各種のデータやパラメータを含む情報（例えば、図１〜図８）については、特記する場合を除いて任意に変更することができる。
【００６６】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。図４を例に説明すると、記憶部１１０を外部装置としてネットワーク経由で接続するようにしても良い。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
４          制御端末器
５          照明器具
６          光センサ
１０        照明制御システム
１００      中央制御装置
１０１      入出力インタフェース
１１０      記憶部
１１１      基準値テーブル
１２０      制御部
１２１      受信部
１２２      第２の照度算出部
１２３      制御処理部
【図１】
2014017152.tif 000003
【図２】
2014017152.tif 000004
【図３】
2014017152.tif 000005
【図４】
2014017152.tif 000006
【図５】
2014017152.tif 000007
【図６】
2014017152.tif 000008
【図７】
2014017152.tif 000009
【図８】
2014017152.tif 000010